(57)【要約】【課題】複数の被験者が容易かつ確実にそれぞれの生体情報を測定・記録・活用することができる生体情報測定装置を提供する。【解決手段】生体情報測定装置１０は、被験者の排泄物を受けて下水配管へ排出する洋式便器１１と、生体情報測定手段１２および制御手段１３などが内蔵されたキャビネット１４と、洋式便器１１の側方壁面に配置された操作・表示手段２０とを備えている。また、被験者の個人認証データおよび測定データを記録する機能を有するＩＤカードと、被験者がＩＤカードを操作・表示手段２０のリモコン２１のカード挿入口２４に挿入することによりＩＤカードとの間で個人認証データおよび測定データを授受する機能を有するＩＤカード読取記録手段と、被験者の排泄物に含まれる生体情報を測定する生体情報測定手段１２と、を設けている。【選択図】図１
2007285831.tif 000002
【特許請求の範囲】
【請求項１】
被験者の個人認証データおよび測定データを記録する機能を有するＩＤカードと、
前記ＩＤカードを用いた被験者の特定操作により前記ＩＤカードとの間で個人認証データおよび測定データを授受する機能を有するＩＤカード読取記録手段と、
被験者の排泄物に含まれる生体情報を測定する生体情報測定手段と、
を備えた生体情報測定装置において、
前記ＩＤカード読取記録手段に、被験者が二段階に分けて行う特定操作に対応した二段階の読取記録モードを設け、
第一段階の特定操作により前記ＩＤカード読取記録手段が第一読取記録モードとなって個人認証データを授受して個人認証動作を実行し、
第二段階の特定操作により前記ＩＤカード読取記録手段が第二読取記録モードとなって前記第一読取記録モードで実行された個人認証動作で得られた被験者に対応する測定データ処理動作を実行することを特徴とする生体情報測定装置。
【請求項２】
前記個人認証動作によって得られた個人認証情報と、被験者が開示した個人認証結果とが合致すると、前記第二段階の特定操作を被験者に促すための音声発生手段および／または表示手段を設けたことを特徴とする請求項１記載の生体情報測定装置。
【請求項３】
前記第二段階の特定操作により、前記生体情報測定手段が起動することを特徴とする請求項１または２記載の生体情報測定装置。
【請求項４】
前記生体情報測定手段の起動を被験者に告知するための音声発生手段および／または表示手段を設けたことを特徴とする請求項１〜３のいずれかに記載の生体情報測定装置。
【請求項５】
前記生体情報測定手段による生体情報測定が完了した時点で、第二段階の特定操作を行った後の前記ＩＤカードに対し第三段階の特定操作を行うと、前記ＩＤカード読取記録手段が第二読取記録モードから前記第一読取記録モードへ移行し、前記生体情報測定による測定結果が前記ＩＤカードに記録されることを特徴とする請求項１〜４のいずれかに記載の生体情報測定装置。
【請求項６】
前記第一段階の特定操作が前記ＩＤカード読取記録手段に対して前記ＩＤカードを第一位置まで挿入する操作であり、前記第二段階の特定操作が前記ＩＤカード読取記録手段に挿入された前記ＩＤカードをさらに深い第二位置まで挿入する操作であることを特徴とする請求項１〜５のいずれかに記載の生体情報測定装置。
【請求項７】
前記ＩＤカードが前記第一位置において前記ＩＤカード読取記録手段に抜き取り可能に保持され、前記ＩＤカードが前記第二位置において前記ＩＤカード読取記録手段に抜き取り不能に保持されることを特徴とする請求項６記載の生体情報測定装置。
【発明の詳細な説明】
【技術分野】
【０００１】
本発明は、洋式便器を使用して被験者の排尿量や尿量率などの各種生体情報を測定することのできる生体情報測定装置に関する。
【背景技術】
【０００２】
病院などにおいては、被験者ごとに個別に採取した尿に基づいて各種生体情報の測定が行われているが、従来の生体情報測定システムとしては、トイレに設置された蓄尿検査装置を院内ＬＡＮで接続して、入院患者の排尿時刻や排尿量などの測定作業を自動化することにより、看護師などによるデータ測定やカルテへの転記などを省力化するとともに、医療行為の質向上を図ることを目的としたものがある（例えば、特許文献１参照。）。
【０００３】
一方、入院患者の氏名や生体情報などを不特定多数が使用可能なトイレに掲示することは個人情報保護の観点から望ましくない状況であるため、入院患者などの被験者個人が保有するＩＤカードで個人認証を行い、生体情報測定結果をＩＤカードに記憶させることによって、患者の誤認や個人情報の漏洩を防止しようとするものがある（例えば、特許文献２参照。）。また、自動蓄尿検査装置において多数の患者を登録可能とするために、患者名の識別入力装置としてタッチセンサー式表示パネルを用いたものがある（例えば、特許文献３参照。）。
【０００４】
【特許文献１】特開平１０−９０２５９号公報
【特許文献２】特開平７−２０７７３６号公報
【特許文献３】特開２００５−１１４６６１号公報
【発明の開示】
【発明が解決しようとする課題】
【０００５】
特許文献１記載の分散形蓄尿検査システムの場合、被験者である入院患者が、定められたトイレで、定められた個人認証操作を行った後、排尿に関する検体採取行為を実行すれば、測定作業や医療行為の省力化を図ることができる。ところが、患者が誤った個人認証操作を行ったり、院内における移動により、定められたトイレ以外で排尿したりすると、患者自身だけでなく他の患者の測定結果に影響を与えることがある。
【０００６】
一方、特許文献２記載のトイレ装置の場合、個人認証行為の確実性は確保される反面、患者が自分のＩＤカードをトイレに持参することを忘れると測定することができず、当然、排尿に係る生態情報を記憶することができない。
【０００７】
また、特許文献３記載の自動蓄尿検査装置の場合、タッチセンサー式表示パネル部分は、院内ＬＡＮを介した電子情報の入れ替えで変更することができるため、院内ＬＡＮの領域内であれば何処のトイレであっても、表示画面の患者名にタッチすることにより測定を行うことができるという利点がある。しかしながら、タッチセンサー式表示パネルはスイッチ押し込み感が小さな操作スイッチであることから、取扱いに不慣れな高齢者等の患者は容易に操作することができず、誤った操作を行う可能性がある。さらに、表示パネルには患者名が表示されるため、個人情報保護の観点から望ましくない。
【０００８】
本発明が解決しようとする課題は、複数の被験者が容易かつ確実にそれぞれの生体情報を測定・記録・活用することができる生体情報測定装置を提供することにある。
【課題を解決するための手段】
【０００９】
本発明の生体情報測定装置は、
被験者の個人認証データおよび測定データを記録する機能を有するＩＤカードと、
前記ＩＤカードを用いた被験者の特定操作により前記ＩＤカードとの間で個人認証データおよび測定データを授受する機能を有するＩＤカード読取記録手段と、
被験者の排泄物に含まれる生体情報を測定する生体情報測定手段と、
を備えた生体情報測定装置において、
前記ＩＤカード読取記録手段に、被験者が二段階に分けて行う特定操作に対応した二段階の読取記録モードを設け、
第一段階の特定操作により前記ＩＤカード読取記録手段が第一読取記録モードとなって個人認証データを授受して個人認証動作を実行し、
第二段階の特定操作により前記ＩＤカード読取記録手段が第二読取記録モードとなって前記第一読取記録モードで実行された個人認証動作で得られた被験者に対応する測定データ処理動作を実行することを特徴とする。
【００１０】
このような構成とすれば、生体情報測定装置を構成するＩＤカード読取記録手段に対して、複数の被験者はそれぞれ自分自身の個人認証データおよび測定データが記録されたＩＤカードを用いて、第一段階の特定操作を実行して得られる個人認証結果を被験者が本人のものと確認した上で、第二段階の特定操作を実行して生体情報測定を行うことにより、生体情報測定手段で測定された、被験者の排泄物に含まれる生体情報の測定値を、ＩＤカード読取記録手段を経て、確実に被験者各自の当該ＩＤカードに記録させることができる。このため、誤った個人認証結果に対して生体情報測定値が記録されることを防止することができる。従って、複数の被験者が容易かつ確実にそれぞれの生体情報を測定・記録・活用することができる。
【００１１】
ここで、前記個人認証動作によって得られた個人認証情報と、被験者が開示した個人認証結果とが合致すると、前記第二段階の特定操作を被験者に促すための音声発生手段および／または表示手段を設けることができる。このような構成とすれば、第一段階の特定操作を行った被験者は、音声発生手段や表示手段からの告知に従って、迷うことなく第二段階の特定操作を開始することができるため、測定操作をさらに容易化することができる。
【００１２】
また、前記第二段階の特定操作により、前記生体情報測定手段が起動するようにすれば、第二段階の特定操作を行うという簡単な操作だけで生体情報測定手段が起動するため、操作性が向上し、測定過程の円滑化を図ることができる。
【００１３】
この場合、前記生体情報測定手段の起動を被験者に告知するための音声発生手段および／または表示手段を設ければ、被験者は、音声発生手段や表示手段からの告知によって生体情報測定手段の起動を認知し、排泄開始できることが判るため、使い勝手が向上する。
【００１４】
一方、前記生体情報測定手段による生体情報測定が完了した時点で、第二段階の特定操作を行った後の前記ＩＤカードに対し第三段階の特定操作を行うと、前記ＩＤカード読取記録手段が第二読取記録モードから前記第一読取記録モードへ移行し、前記生体情報測定による測定結果が前記ＩＤカードに記録されるようにすることができる。このような構成とすれば、被験者が第三の特定操作を行うことにより、生体情報測定の完了後におけるＩＤカードに対する測定結果の記録を確実かつ速やかに実行させることができ、併せて、ＩＤカードのポップアップ動作によりＩＤカードの取り出し忘れを防止することができる。
【００１５】
また、前記第一段階の特定操作は前記ＩＤカード読取記録手段に対して前記ＩＤカードを第一位置まで挿入する操作であり、前記第二段階の特定操作は前記ＩＤカード読取記録手段に挿入された前記ＩＤカードをさらに深い第二位置まで挿入する操作であることが望ましい。このような構成とすれば、極めて簡単な二つの段階の挿入操作によりＩＤカード読取記録手段の読取記録モードの切り替えを行うことが可能となり、ＩＤカードが第一位置、第二位置のいずれにあるかを目視するだけでＩＤカード読取記録手段のモード状態を知ることができる。
【００１６】
この場合、前記ＩＤカードが前記第一位置において前記ＩＤカード読取記録手段に抜き取り可能に保持され、前記ＩＤカードが前記第二位置において前記ＩＤカード読取記録手段に抜き取り不能に保持されることが望ましい。このような構成とすれば、ＩＤカードが第一位置にあるときの個人認証動作の結果、被験者とＩＤカードとの不一致が判明したとき、当該ＩＤカードを抜き取って正しいＩＤカードを挿入することが可能となるため、取り扱い性が向上する。また、生体情報測定手段による生体情報測定が実行されている最中にＩＤカードが抜き取られることによって生じるトラブルを回避することができる。
【発明の効果】
【００１７】
本発明により、複数の被験者が容易かつ確実にそれぞれの生体情報を測定・記録・活用することができる生体情報測定装置を提供することができる。
【発明を実施するための最良の形態】
【００１８】
以下、図面に基づいて本発明の実施の形態について説明する。図１は本発明の実施の形態である生体情報測定装置を示す斜視図、図２は図１に示す生体情報測定装置の全体構成を示すシステムブロック図、図３は図１に示す生体情報測定装置を構成するリモコンおよびＩＤカードを示す正面図、図４は図３に示すリモコン内におけるＩＤカードロック機構を示す図である。
【００１９】
図１に示すように、本実施形態の生体情報測定装置１０は、被験者の排泄物を受けて下水配管へ排出する洋式便器１１と、生体情報測定手段１２および制御手段１３などが内蔵されたキャビネット１４と、洋式便器１１の側方壁面に配置された操作・表示ユニット２０と、を備えている。洋式便器１１は、被験者が着座するための便座１５と、ボール１６および便座１５を開閉可能に覆う便蓋１７と、採尿器１８ａおよび採尿アーム１８ｂを有する採尿ユニット１８とを備えている。操作・表示ユニット２０は、洋式便器１１に設けられた衛生洗浄装置２３を操作するための衛生洗浄装置用リモコン１９と、生体情報測定手段１２を操作するための操作・表示手段を有するリモコン２１と、生体情報測定データを印刷出力するためのプリンタ２２と、を備えている。
【００２０】
図２に示すように、リモコン２１には、ＩＤカード読取記録手段９、測定情報記憶手段８、操作手段７、表示手段６および音声合成手段５が設けられている。ＩＤカード読取記録手段９、測定情報記憶手段８、操作手段７、表示手段６および音声合成手段５はそれぞれ制御手段１３に接続されている。また、測定情報記憶手段８は院内ＬＡＮを介してサーバー２と接続されている。
【００２１】
また、被験者に生体情報測定装置１０の使用ガイドや測定結果等を行うための音声発生手段（音声合成手段５・スピーカ３２）および表示手段６が設けられている。また、ＩＤカード読取記録手段９には、被験者がＩＤカード挿入口２４に対して二段階に分けて行うＩＤカード４の挿入操作に対応した二種類の読取記録手段、即ち、第一読取記録手段９ａと第二読取記録手段９ｂとが設けられている。また、ＩＤカード４を抜き取り不能に保持するための後述するロック手段３も設けられている。
【００２２】
生体情報測定装置１０は、また、被験者の個人認証データ４ａおよび測定データ４ｂを記録する機能を有するＩＤカード４を有し、後述するリモコン２１のＩＤカード挿入口２４に被験者がＩＤカード４を挿入することによりＩＤカード４との間で個人認証データ４ａおよび測定データ４ｂを授受する。使用されるＩＤカード４には患者名が記載されているが、この他に、その機能は同じで患者名に代わる識別番号が記載されているＩＤカード４ｘも使用可能である。
【００２３】
ＩＤカード４とＩＤカード４ｘは、生体情報測定装置１０を採用する医療機関の考え方、およびＩＤカードの保管方法に関する考え方に基づいて採用される。ＩＤカードの保管責任を被験者に持たせる場合は、患者名を記載したＩＤカード４が採用される。ＩＤカードをトイレに持っていくのを忘れるような被験者を対象とする場合等は、ＩＤカードをトイレに設置しておき、個人認証結果の確認をトイレに設置した装置で実施するようにして使い勝手を優先して患者名が記載されないＩＤカード４ｘが採用される。
【００２４】
図３に示すように、生体情報測定手段１２を操作するためのリモコン２１には、ＩＤカード挿入口２４、便器洗浄スイッチ２５、便座開閉スイッチ２６、動作表示部２７、機能・測定結果表示部２８、排尿終了スイッチ２９、大便準備スイッチ３０、リセットスイッチ３１およびスピーカ３２などが設けられている。大便準備スイッチ３０は使用者が大便排泄として便器を使用する場合にこのスイッチを操作して、排尿情報測定を行うための低い状態の水位を大便排泄のための高い水位にするためのスイッチである。ＩＤカード挿入口２４に、二種類のＩＤカード４，４ｘのいずれかを挿入することにより生体情報測定装置１０を機能させることができる。
【００２５】
図４（ａ）〜（ｃ）に示すように、リモコン２１に設けられたＩＤカード挿入口２４内には、挿入されたＩＤカード４を第一位置Ｐ１に抜き取り可能に保持するための位置決めフック３３と、第二位置Ｐ２まで挿入されたＩＤカード４を抜き取り不能に保持するためＩＤカード４側縁に設けられた切欠部４ｐに係合する係止バネ３４と、第三段階の挿入操作により、さらに深い第三位置Ｐ３まで挿入されたＩＤカード４を抜き取り方向へ押し上げるための浮き出しバネ３５と、が設けられている。ＩＤカード４の切欠部４ｐに係合する係止バネ３４が、ＩＤカード４のロック手段３として機能する。
【００２６】
生体情報測定装置１０には、被験者がＩＤカード挿入口２４に対して二段階に分けて行うＩＤカード４の挿入操作に対応した二段階の読取記録モード、即ち、第一読取記録モードと第二読取記録モードとが設けられている。
【００２７】
第一段階の挿入操作によりＩＤカード４が第一位置Ｐ１に挿入されると、生体情報測定手段１２が準備動作を開始するとともに、モード表示ランプが「待機中」から「準備中」に切り替わり、ＩＤカード読取記録手段９が第一読取記録モードとなってＩＤカードから個人認証データ４ａを授受して個人認証動作を実行する。
【００２８】
また、第二段階の挿入操作によりＩＤカード４が第二位置Ｐ２まで挿入されると、生体情報測定手段１２は測定センサー等が計測状態になる計測モードになるとともに、ＩＤカード読取記録手段９が第二読取記録モードとなる。さらに、このとき、表示ランプが「測定中」となるとともに、前述した、音声発生手段（音声合成手段５・スピーカ３２）および表示手段６が、生体情報測定手段１２の起動と排尿を被験者に促すための音声発生手段および表示手段として機能する。
【００２９】
次に、生体情報測定手段１２による生体情報測定が完了、又は、さらに大便排泄まで終了した時点で、第二段階の挿入操作を行った後の第二位置Ｐ２にあるＩＤカード４に対し第三段階の挿入操作を行うと、ＩＤカード４は第三位置Ｐ３まで挿入され、ロック手段３の保持が解除されるとともに浮き出しバネ３５によって抜き取り方向へ押し上げられ第一位置Ｐ１に戻る。従って、ＩＤカード読取記録手段９が第二読取記録モードから第一読取記録モードへ移行し、生体情報測定手段１２による測定結果がＩＤカード４に記録される。
【００３０】
次に、図５，図６を参照し、生体情報測定装置の使い方について説明する。図５は図１に示す生体情報測定装置の動作を示すフローチャート、図６は図１に示す生体情報測定装置のその他の動作を示すフローチャートである。
【００３１】
図５は被験者が自分のＩＤカード４を個人で保有している場合、当該ＩＤカード４を使用して生体情報測定装置１０で生体情報測定を行う際のフローチャートである。被験者が生体情報測定を開始する場合（ステップ５０）、まず、トイレに入室した後（ステップ５１）、ブースに入室する（ステップ５２）。そして、自分のＩＤカード４をリモコン２１のＩＤカード挿入口２４に挿入すると（ステップ５３）、ＩＤカード４が第一位置Ｐ１にセットされ、被験者の名前の確認が行われる（ステップ５４）とともに、生体情報測定手段１２の測定準備が実行される（ステップ５５）。
【００３２】
測定準備が終わると、スピーカ３２から「測定準備ができました。カードを押し込んでください。」という音声が発されるので（ステップ５５ａ）、被験者の名前が正しければＩＤカード４をさらに押し込んで、第二位置Ｐ２にセットする（ステップ５６）。これによって生体情報測定手段１２が起動され、スピーカ３２から「排尿してください。」という音声が発される（ステップ５７）。この後、被験者は洋式便器１１に排尿し（ステップ５８）、排尿が終わったらリモコン２１の排尿終了スイッチ２９を操作すると（ステップ５９）、測定結果がリモコン２１の機能・測定結果表示部２８に表示される（ステップ６０）。
【００３３】
この後、被験者がリモコン２１の便器洗浄スイッチ２５を操作すると（ステップ６１）、洋式便器１１内に排泄された尿混じりの溜水の排出および便器洗浄が行われる。そして、被験者が第二位置Ｐ２にあるＩＤカード４をさらに押し込むと（ステップ６２）、ＩＤカード４は第三位置Ｐ３まで下降した後、第一位置Ｐ１まで上昇するが、この時に生体情報測定結果がＩＤカード４に書き込まれる（ステップ６２ａ）。これによって生体情報測定が終わるが、ＩＤカード４は第一位置Ｐ１で抜き取り可能に保時されているため、被験者はＩＤカード４をリモコン２１のＩＤカード挿入口２４から取り出すことができる（ステップ６３）。この後、被験者は測定ブースから離室し（ステップ６４）、トイレから離室すると（ステップ６５）、生体情報測定装置１０の使用が終わる（ステップ６６）。
【００３４】
次に、図６を参照して、生体情報測定装置のその他の動作について説明する。図６は個人情報保護の目的などから被験者の氏名が記載されておらず識別番号や識別色などが表示されているＩＤカード４ｘがトイレで保管されている場合、当該ＩＤカード４ｘを使用して生体情報測定装置１０で生体情報測定を行う際のフローチャートである。被験者が生体情報測定を開始する場合（ステップ８０）、まず、トイレに入室した後（ステップ８１）、ＩＤカード４ｘが保管されているＩＤカードラックから自分のＩＤカード４ｘを取り出して（ステップ８２）、ブースに入室する（ステップ８３）。そして、自分のＩＤカード４ｘをリモコン２１のＩＤカード挿入口２４に挿入すると（ステップ８４）、ＩＤカード４ｘが第一位置Ｐ１にセットされ、被験者の名前の確認が行われる（ステップ８５）とともに、生体情報測定手段１２の測定準備動作が実行される（ステップ８６）。
【００３５】
ＩＤカード４ｘが正しいことが確認され（ステップ８７）、測定準備動作が終わると、スピーカ３２から「測定準備ができました。カードを押し込んでください。」という音声が発されるので（ステップ８７ａ）、被験者の名前が正しければＩＤカード４ｘをさらに押し込んで、第二位置Ｐ２にセットする（ステップ８８）。これによって生体情報測定手段１２が起動され、スピーカ３２から「排尿してください。」という音声が発されるので（ステップ９０）、被験者は洋式便器１１に排尿する（ステップ９２）。なお、医療関係者が測定データを至急確認したいときは、捜している被験者のＩＤカード４ｘを本装置で確認し、必要なＩＤカード４ｘを所定の場所に持ち込んで、データ閲覧のみを行うような使い方もできる。
【００３６】
一方、ＩＤカード４ｘが正しくない場合、被験者はブースを離室して（ステップ８９）、ＩＤカード４ｘが保管されているＩＤカードラックへ戻り、正しくないＩＤカード４ｘを戻すとともに、正しいＩＤカード４ｘを取り出して（ステップ８２）、再びブースに入室し（ステップ８３）、前述の操作を反復する。
【００３７】
被験者が洋式便器１１に排尿した後（ステップ９２）、リモコン２１の排尿終了スイッチ２９を操作すると（ステップ９３）、測定結果がリモコン２１の機能・測定結果表示部２８に表示される（ステップ９４）。この後、被験者がリモコン２１の便器洗浄スイッチ２５を操作すると（ステップ９５）、洋式便器１１内に排泄された尿混じりの溜水の排出および便器洗浄が行われる。そして、被験者が第二位置Ｐ２にあるＩＤカード４ｘをさらに押し込むと（ステップ９６）、ＩＤカード４ｘは第三位置Ｐ３まで下降した後、第一位置Ｐ１まで上昇するが、この時に生体情報測定結果がＩＤカード４ｘに書き込まれる（ステップ９６ａ）。
【００３８】
これによって生体情報測定が終わり、ＩＤカード４ｘは、第一位置Ｐ１で抜き取り可能に保時されているため、被験者はＩＤカード４ｘをリモコン２１のＩＤカード挿入口２４から取り出すことができる（ステップ９７）。この後、被験者はＩＤカード４ｘを取り出してブースから離室し（ステップ９８）、抜き取ったＩＤカード４ｘをＩＤカードラックへ戻した後（ステップ９９）、トイレから離室すると（ステップ１００）、生体情報測定装置１０による生体情報測定が終わる（ステップ１０１）。
【００３９】
このように、被験者は自分のＩＤカード４，４ｘをリモコン２１のＩＤカード挿入口２４に挿入して、自分自身の尿量や尿量率などの生体情報測定を行うことができるため、複数の被験者は容易かつ確実にそれぞれの生体情報を測定することができる。
【００４０】
生体情報測定装置１０においては、第一段階の特定操作がＩＤカード読取記録手段９に対してＩＤカード４，４ｘを第一位置Ｐ１まで挿入する操作であり、第二段階の特定操作がＩＤカード読取記録手段９に挿入されたＩＤカード４，４ｘをさらに深い第二位置Ｐ２まで挿入する操作である。このため、極めて簡単な二つの段階の挿入操作によりＩＤカード読取記録手段９の読取記録モードの切り替えを行うことができ、ＩＤカード４，４ｘが第一位置Ｐ１、第二位置Ｐ２のいずれにあるかを目視するだけでＩＤカード読取記録手段９のモード状態を知ることができる。
【００４１】
また、ＩＤカード４，４ｘは第一位置Ｐ１においてＩＤカード読取記録手段９に抜き取り可能に保持され、ＩＤカード４，４ｘは第二位置Ｐ２においてＩＤカード読取記録手段９に抜き取り不能に保持される。このため、ＩＤカード４，４ｘが第一位置Ｐ１にあるときの個人認証動作の結果、被験者とＩＤカード４，４ｘとの不一致が判明したとき、当該ＩＤカード４，４ａを抜き取って正しいＩＤカード４，４ｘを挿入することが可能となるため、取り扱い性が向上する。また、生体情報測定手段による生体情報測定が実行されている最中にＩＤカード４，４ｘが抜き取られることによって生じるトラブルを回避することができる。
【産業上の利用可能性】
【００４２】
本発明の生体情報測定装置は、複数の被験者の排尿量や尿量率などの各種生体情報測定が行われる病院や医療施設のトイレなどにおいて広く利用することができる。
【図面の簡単な説明】
【００４３】
【図１】本発明の実施の形態である生体情報測定装置を示す斜視図である。
【図２】図１に示す生体情報測定装置の全体構成を示すシステムブロック図である。
【図３】図１に示す生体情報測定装置を構成するリモコンおよびＩＤカードを示す正面図である。
【図４】図３に示すリモコン内におけるＩＤカードロック機構を示す図である。
【図５】図１に示す生体情報測定装置の動作を示すフローチャートである。
【図６】図１に示す生体情報測定装置のその他の動作を示すフローチャートである。
【符号の説明】
【００４４】
２  サーバー
３  ロック手段
４，４ｘ  ＩＤカード
４ａ  個人認証データ
４ｂ  測定データ
４ｐ  切欠部
５  音声合成手段
６  表示手段
７  操作手段
８  測定情報記憶手段
９  ＩＤカード読取記録手段
９ａ  第一読取記録手段
９ｂ  第二読取記録手段
１０  生体情報測定装置
１１  洋式便器
１２  生体情報測定手段
１３  制御手段
１４  キャビネット
１５  便座
１６  ボール
１７  便蓋
１８  採尿ユニット
１８ａ  採尿器
１８ｂ  採尿アーム
１９  リモコン（衛生洗浄装置用）
２０  操作・表示ユニット
２１  リモコン（生体情報測定装置用）
２２  プリンタ
２３  衛生洗浄装置
２４  ＩＤカード挿入口
２５  便器洗浄スイッチ
２６  便座開閉スイッチ
２７  動作表示部
２８  機能・測定結果表示部
２９  排尿終了スイッチ
３０  大便準備スイッチ
３１  リセットスイッチ
３２  スピーカ
３３  位置決めフック
３４  係止バネ
３５  浮き出しバネ
Ｐ１  第一位置
Ｐ２  第二位置
Ｐ３  第三位置
【図１】
2007285831.tif 000003
【図２】
2007285831.tif 000004
【図３】
2007285831.tif 000005
【図４】
2007285831.tif 000006
【図５】
2007285831.tif 000007
【図６】
2007285831.tif 000008